(57)【要約】【課題】ウイング状フラップに備えられるウイングズレ止め粘着剤層の面積を小さくしても、ウイング状フラップの装着中のずれが防止でき、下着に安定して固定できるようにする。【解決手段】ウイングズレ止め粘着剤層１６の面積がウイング状フラップＷの面積の５〜２０％であり、ウイング状フラップＷが、外方側端部Ｗａを通る幅方向線の前側と後側とで非対称形状をなし、ウイング状フラップＷが、装着時に下着のクロッチ部分を巻き込むようにして折り畳まれた状態時において、ウイング状フラップＷの先端部同士が重なる重なり部分２２を有し、ウイングズレ止め粘着剤層１６が重なり部分２２の前端部を通る幅方向線Ｓ１と後端部を通る幅方向線Ｓ２とで囲まれた範囲内に設けられ、ウイング状フラップＷの外形線は、少なくとも重なり部分２２において略円弧状をなすように形成する。【選択図】図５
2014124285.tif 000002
【特許請求の範囲】
【請求項１】
透液性表面シートと不透液性裏面シートとの間に吸収体が介在された本体部分の両側部に夫々、装着時に下着のクロッチ部分を巻き込むようにして固定されるウイング状フラップが形成され、前記本体部分の不透液性裏面シート側の面に本体ズレ止め粘着剤層が形成されるとともに、前記ウイング状フラップの不透液性裏面シート側の面にウイングズレ止め粘着剤層が形成された吸収性物品において、
前記ウイングズレ止め粘着剤層の面積が前記ウイング状フラップの面積の５〜２０％であり、
前記ウイング状フラップが、該ウイング状フラップの外方側端部を通る幅方向線の前側と後側とで非対称形状をなし、
前記ウイング状フラップが、装着時に下着のクロッチ部分を巻き込むようにして折り畳まれた状態時において、前記ウイング状フラップの先端部同士が重なる重なり部分を有し、
前記ウイングズレ止め粘着剤層が前記重なり部分の前端部を通る幅方向線と後端部を通る幅方向線とで囲まれた範囲内に設けられ、
前記ウイング状フラップの外形線は、少なくとも前記重なり部分において略円弧状をなしていることを特徴とする吸収性物品。
【請求項２】
前記重なり部分の最大幅は、１０ｍｍ以上である請求項１記載の吸収性物品。
【請求項３】
前記重なり部分の面積は、前記ウイング状フラップの面積の１０〜２５％である請求項１、２いずれかに記載の吸収性物品。
【請求項４】
前記ウイングズレ止め粘着剤層は、前記ウイング状フラップの外方側端部から幅方向に２０ｍｍ以上の離間距離を設けて配置してある請求項１〜３いずれかに記載の吸収性物品。
【請求項５】
前記ウイングズレ止め粘着剤層は、該ウイングズレ止め粘着剤層の中心部を通る幅方向線と前記ウイング状フラップの外方側端部を通る幅方向線とがほぼ一致する位置に配置してある請求項１〜４いずれかに記載の吸収性物品。
【請求項６】
前記ウイング状フラップは、本体部分から外方に延びる前側外形線と、本体部分から外方に延びる後側外形線とを有し、吸収性物品の幅方向線と前記前側外形線との成す角度よりも吸収性物品の幅方向線と前記後側外形線との成す角度の方が大きく設定され、前記ウイング状フラップの重心がウイング状フラップの付け根と本体部分との接合線の中央よりも前側に偏倚している請求項１〜５いずれかに記載の吸収性物品。
【請求項７】
前記ウイング状フラップの少なくとも外方側端部及びその近傍に、エンボスが施してある請求項１〜６いずれかに記載の吸収性物品。
【請求項８】
前記エンボスは、前記ウイング状フラップの外形線にほぼ沿うように施され、前記エンボスが施された領域の面積がウイング状フラップの面積の５５％以上である請求項７記載の吸収性物品。
【発明の詳細な説明】
【技術分野】
【０００１】
本発明は、下着への固定に際し、下着のクロッチ部分に巻き付けるようにして使用されるウイング状フラップを備えるとともに、前記ウイング状フラップの下着当接面に装着状態でのズレ止めを図るためのウイングズレ止め粘着剤層が形成された吸収性物品に関する。
【背景技術】
【０００２】
従来より、生理用ナプキン、パンティライナー、おりものシート、失禁パッドなどの吸収性物品Ｎとしては、例えば図１０および図１１に示されるように、ポリエチレンシートまたはポリエチレンラミネート不織布などからなる不透液性裏面シート５０と、不織布または透孔性プラスチックシートなどからなる透液性表面シート５１との間に綿状パルプなどからなる吸収体５２を介在させ、かつ本体部分の両側部に、外方に延在するウイング状フラップＷ、Ｗを一体的に形成したものが知られている。前記ウイング状フラップＷの平面形状は、一般的に、図１０に示されるように、外方側で長手方向長さが小さくなる台形状に形成されたものが多く流通している。
【０００３】
この種の吸収性物品Ｎとしては、装着状態でのズレ止めを図るために、例えば本体部分の非肌当接面側（不透液性裏面シート５０の外面）に１または複数条の本体ズレ止め粘着剤層５３，５３を形成し、かつウイング状フラップＷ、Ｗの不透液性裏面シート５０側の面（外面）にウイングズレ止め粘着剤層５４，５４を形成したものが存在する。
【０００４】
前記吸収性物品Ｎを下着に固定する際には、図１２に示されるように、吸収性物品Ｎを局所にあてがい、側方に突出する前記ウイング状フラップＷ、Ｗを下着より取り出し、両ウイング状フラップＷ、Ｗを折返し線ＲＬ、ＲＬで折返し、下着のクロッチ部分を巻き込むようにしながら下着の股間部外面に接着するようにする。
【０００５】
このような下着への固定に際し、装着中のずれを防止したり、安定して固定できるようにしたものが種々開発されている。例えば、下記特許文献１では、１対のウイングは、吸収性物品の装着時にすくなくともそれぞれの一部が互いに重合可能に形成されており、一方のウイングの非肌当接面にメカニカルホックのオス部材が配設され、他方のウイングの肌当接面側はウイング重合時に上記オス部材が係合・止着可能になされている吸収性物品が開示されている。
【０００６】
また、下記特許文献２では、ウイング縦方向長さが最も大きい部分が吸収性本体の側縁から離れたところにあり、ウイングの根元（吸収性本体の側縁に近い部分）がくびれている（狭くなっている）吸収性物品が開示されている。
【０００７】
更に、下記特許文献３では、一対のウイング部それぞれが、固定部（ウイングズレ止め粘着剤層）の長さを吸収性物品長手方向に２等分する固定部中心線を境に前方部と後方部に区分したとき、該後方部の面積が該前方部の面積よりも小さい吸収性物品が開示されている。
【先行技術文献】
【特許文献】
【０００８】
【特許文献１】特開平９−２９９３９７号公報
【特許文献２】特開２０１２−１５７６４１号公報
【特許文献３】特開２００８−１２０９７号公報
【発明の概要】
【発明が解決しようとする課題】
【０００９】
しかしながら、上記特許文献１記載の吸収性物品では、ウイング状フラップ同士が装着時に重合する部分においてメカニカルホックで固定されるだけで、ウイング状フラップ自体が下着に直接固定される構造ではないため、吸収性物品が下着に対してずれやすいという問題があった。
【００１０】
また、上記特許文献２記載の吸収性物品では、ウイング状フラップを下着にしっかりと固定するため、ウイング状フラップの縦方向長さが最も大きい部分を吸収性本体の側縁から離れたところに形成し、この縦方向長さが最も大きい部分のほぼ全面にズレ止め粘着剤層を備えるようにしている。このように、従来は粘着剤層の面積をかせぐことによって剥がれを防止していた。このため、ウイング状フラップが身体の動きのより広範囲に亘る影響を受けるようになり、ウイング状フラップ自体の動きが大きくなるとともに、これに伴ってウイング状フラップがヨレてズレ止め粘着剤層が下着から外れやすくなるという欠点があった。また、ウイング状フラップ及びズレ止め粘着剤層が比較的大きな面積で設けられているため、資材コストが嵩むとともに、装着作業中にウイング状フラップの折れやシワが生じやすい上、この折れなどによって粘着剤層同士の接着や誤接着などを引き起こしやすくなり、装着作業がしにくいという不具合もあった。
【００１１】
さらに、装着中におけるウイング状フラップの下着からの外れは、ウイング状フラップの先端部から生じやすく、特に図１０に示されるような台形状に形成されたウイング状フラップや、上記特許文献２に記載されるような本体から離れたところにウイング縦方向長さが最も大きい部分が形成されたウイング状フラップでは、幅方向端縁の外形線と前側端縁又は後側端縁の外形線とが接続する角部からウイング状フラップのめくれが起こりやすいという問題があった。ウイング状フラップのめくれに関して、上記特許文献３では、ウイング状フラップの後方側からのめくれを防止するため所定のウイング形状にしているが、ウイング先端部からのめくれについては考慮されていなかった。
【００１２】
ここで、ウイングズレ止め粘着剤層の大きさを小さくできれば、固定部分が身体の動きの影響を受けにくく固定状態を維持しやすいとともに、資材の節約となり、装着作業がしやすくなるなどの効果が期待できるものの、単にウイングズレ止め粘着剤層の大きさを小さくしただけでは当然にウイング状フラップの端部がめくれやすくなり、下着から外れやすいものとなってしまう。このため、従来ではウイングズレ止め粘着剤層の面積の縮小化というのはほとんど考えられていなかった。
【００１３】
そこで本発明の主たる課題は、ウイング状フラップに備えられるウイングズレ止め粘着剤層の面積を小さくしても、ウイング状フラップの装着中のずれが防止でき、下着に安定して固定できるようにした吸収性物品を提供することにある。
【課題を解決するための手段】
【００１４】
上記課題を解決するために請求項１に係る本発明として、透液性表面シートと不透液性裏面シートとの間に吸収体が介在された本体部分の両側部に夫々、装着時に下着のクロッチ部分を巻き込むようにして固定されるウイング状フラップが形成され、前記本体部分の不透液性裏面シート側の面に本体ズレ止め粘着剤層が形成されるとともに、前記ウイング状フラップの不透液性裏面シート側の面にウイングズレ止め粘着剤層が形成された吸収性物品において、
前記ウイングズレ止め粘着剤層の面積が前記ウイング状フラップの面積の５〜２０％であり、
前記ウイング状フラップが、該ウイング状フラップの外方側端部を通る幅方向線の前側と後側とで非対称形状をなし、
前記ウイング状フラップが、装着時に下着のクロッチ部分を巻き込むようにして折り畳まれた状態時において、前記ウイング状フラップの先端部同士が重なる重なり部分を有し、
前記ウイングズレ止め粘着剤層が前記重なり部分の前端部を通る幅方向線と後端部を通る幅方向線とで囲まれた範囲内に設けられ、
前記ウイング状フラップの外形線は、少なくとも前記重なり部分において略円弧状をなしていることを特徴とする吸収性物品が提供される。
【００１５】
上記請求項１記載の発明は、前記ウイングズレ止め粘着剤層の面積が前記ウイング状フラップの面積の５〜２０％と通常のものに比べてかなり小さくしたものであり、この場合でも以下の構成を備えることによってウイング状フラップの装着中のずれが防止でき、下着に安定して固定できるようにしている。
【００１６】
前記ウイング状フラップとしては、該ウイング状フラップの外方側端部を通る幅方向線の前側と後側とで非対称形状のものを用いている。これは、装着作業時にウイングズレ止め粘着剤層同士の接着や誤接着などの不具合を生じさせずに、簡単に正規の折り位置できっちりと折り返し貼着できるようにするためのものである。
【００１７】
また、前記ウイング状フラップは、装着時に下着のクロッチ部分を巻き込むようにして折り畳まれた状態時において、前記ウイング状フラップの先端部同士が重なる重なり部分を有している。装着中におけるウイング状フラップの下着からの外れはウイング状フラップの先端部から生じやすいため、ウイング状フラップの先端部に前記重なり部分を設けることによって、一方のウイング状フラップの表面側に他方のウイング状フラップの先端部が重なって、この重なり部分においては少なくとも内側となる一方のウイング状フラップの先端部が外部に露出しないため、装着中のめくれが防止できる。また、外側となる他方のウイング状フラップについても、先端部が一方のウイング状フラップの外面側に重なっているため、下着に直接接触するように設けた場合より下着のシワなどの影響を直接受けにくく、安定的に重なり状態が維持できるようになる。
【００１８】
さらに、前記ウイングズレ止め粘着剤層が前記重なり部分の前端部を通る幅方向線と後端部を通る幅方向線とで囲まれた範囲内に設けられているため、重なり部分の近傍が下着に固定でき、前記重なり部分の重なり状態が維持されやすくなる。その結果ウイング状フラップが下着から外れる初動時のウイングズレ止め粘着剤層の剥がれが防止できるとともに、ウイングズレ止め粘着剤層の面積を必要最小限の範囲内に納めることができ、面積の狭小化が図れるようになる。
【００１９】
また、前記ウイング状フラップの外形線は、少なくとも前記重なり部分において略円弧状に形成されているため、装着状態でウイング状フラップの先端部にめくれの基点となる角部ができにくく、下着からの剥がれが防止できる。また、ウイング状フラップを下着のクロッチ部分を巻き込むようにして折り畳んだ後、吸収性物品を身体の前後方向の丸みに沿って湾曲させた状態では、ウイング状フラップが吸収性物品の前後方向に対し外側に突出した湾曲状態となるため、ウイング状フラップの先端部が下着側に密着するように湾曲し、下着からの浮きが生じにくくなる。これに対し、従来のウイング状フラップのように角部を有する台形状に形成されたウイング状フラップの場合、先端の角部が下着から浮きやすく、これがめくれの基点となってウイング状フラップが下着から外れることが多かった。
【００２０】
請求項２に係る本発明として、前記重なり部分の最大幅は、１０ｍｍ以上である請求項１記載の吸収性物品が提供される。
【００２１】
上記請求項２記載の発明では、前記重なり部分による効果を明確に発揮させるため、重なり部分を最大幅１０ｍｍ以上で設けるようにしている。
【００２２】
請求項３に係る本発明として、前記重なり部分の面積は、前記ウイング状フラップの面積の１０〜２５％である請求項１、２いずれかに記載の吸収性物品が提供される。
【００２３】
上記請求項３記載の発明では、前記重なり部分の大きさとして、ウイング状フラップの面積に対する面積率という観点から規定し、ウイング状フラップの面積の１０〜２５％としている。
【００２４】
請求項４に係る本発明として、前記ウイングズレ止め粘着剤層は、前記ウイング状フラップの外方側端部から幅方向に２０ｍｍ以上の離間距離を設けて配置してある請求項１〜３いずれかに記載の吸収性物品が提供される。
【００２５】
上記請求項４記載の発明では、ウイングズレ止め粘着剤層の幅方向の配置位置について規定し、装着時に前記重なり部分で粘着剤層が重ならないように、ウイング状フラップの外方側端部からの幅方向の離間距離を２０ｍｍ以上とることとしている。
【００２６】
請求項５に係る本発明として、前記ウイングズレ止め粘着剤層は、該ウイングズレ止め粘着剤層の中心部を通る幅方向線と前記ウイング状フラップの外方側端部を通る幅方向線とがほぼ一致する位置に配置してある請求項１〜４いずれかに記載の吸収性物品が提供される。
【００２７】
上記請求項５記載の発明では、ウイングズレ止め粘着剤層の長手方向の配置位置について規定し、ウイング状フラップの先端部のめくれを防止するため、ウイングズレ止め粘着剤層の中心部を通る幅方向線とウイング状フラップの外方側端部を通る幅方向線とがほぼ一致するように配置することとしている。
【００２８】
請求項６に係る本発明として、前記ウイング状フラップは、本体部分から外方に延びる前側外形線と、本体部分から外方に延びる後側外形線とを有し、吸収性物品の幅方向線と前記前側外形線との成す角度よりも吸収性物品の幅方向線と前記後側外形線との成す角度の方が大きく設定され、前記ウイング状フラップの重心がウイング状フラップの付け根と本体部分との接合線の中央よりも前側に偏倚している請求項１〜５いずれかに記載の吸収性物品が提供される。
【００２９】
上記請求項６記載の発明では、ウイング状フラップを前後で非対称形状とする際の具体的な構造について規定している。
【００３０】
請求項７に係る本発明として、前記ウイング状フラップの少なくとも外方側端部及びその近傍に、エンボスが施してある請求項１〜６いずれかに記載の吸収性物品が提供される。
【００３１】
上記請求項７記載の発明では、ウイング状フラップの少なくとも外方側端部及びその近傍に、エンボスを施すことによって、前記重なり部分の所定範囲がエンボス付与領域となるため、前記重なり部分にコシが付加され、ウイング状フラップの先端がぴらぴらしてめくれることが防止できる。
【００３２】
請求項８に係る本発明として、前記エンボスは、前記ウイング状フラップの外形線にほぼ沿うように施され、前記エンボスが施された領域の面積がウイング状フラップの面積の５５％以上である請求項７記載の吸収性物品が提供される。
【００３３】
上記請求項８記載の発明では、ウイング状フラップの外形線全体がぴらぴらしてめくれるのを防止するため、エンボスをウイング状フラップの外形線にほぼ沿うように施し、前記エンボスが施された領域の面積がウイング状フラップの面積の５５％以上であるようにしている。
【発明の効果】
【００３４】
以上詳説のとおり本発明によれば、ウイング状フラップに備えられるウイングズレ止め粘着剤層の面積を小さくしても、ウイング状フラップの装着中のずれが防止でき、下着に安定して固定できるようになる。
【図面の簡単な説明】
【００３５】
【図１】本発明に係る生理用ナプキン１の一部破断展開図である。
【図２】その裏面図である。
【図３】図１のIII−III線矢視図である。
【図４】ウイング状フラップＷの要部拡大平面図である。
【図５】ウイング状フラップＷのショーツへの固定状態を示すショーツ外面から見た平面図である。
【図６】他の形態例に係るウイング状フラップＷの要部拡大平面図である。
【図７】ウイング状フラップＷの要部拡大平面図である。
【図８】ウイング状フラップＷ、Ｗの折り畳み要領を示す平面図である。
【図９】その横断面図（図８のIX−IX線矢視図）である。
【図１０】従来の生理用ナプキンＮの展開図である。
【図１１】その横断面図（図１０のXI−XI線矢視図）である。
【図１２】その装着状態図である。
【発明を実施するための形態】
【００３６】
以下、本発明の実施の形態について図面を参照しながら詳述する。
【００３７】
《生理用ナプキン１の構造例》
本発明に係る生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。
【００３８】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３９】
前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。なお、前記透液性表面シート３の上面側から各種のエンボスを付与し、体液の滞留を促進し吸収効率を高めることにより横漏れを防止するのが望ましい。
【００４０】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００４１】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００４２】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。このウイング状フラップＷについては後で詳述する。
【００４３】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。
【００４４】
図２に示されるように、前記透液性表面シート３と不透液性裏面シート２との間に吸収体４が介在された本体部分の非肌当接面には、下着に対する固定のために適宜の塗布パターンによって複数条の、図示例では３条の本体ズレ止め粘着剤層１７、１７…が形成されているとともに、これら本体ズレ止め粘着剤層１７，１７…が本体用剥離材１９によって覆われている。また、前記ウイング状フラップＷ、Ｗの不透液性裏面シート２側の面には、ウイングズレ止め粘着剤層１６が形成されるとともに、これらウイングズレ止め粘着剤層１６，１６がウイング用剥離材１８によって覆われている。このウイングズレ止め粘着剤層１６については後で詳述する。
【００４５】
前記剥離材１８、１９は、本体用剥離材１９と横断方向に配置されたウイング用剥離材１８とを交差部で接合するか、本体用剥離材１９及びウイング用剥離材１８をそれぞれ個装材（図示せず）に固着し、１回の剥離手間で両方の剥離材１８、１９を撤去できるようにするのが望ましい。また、前記剥離材は、略十字形の１枚の剥離材によって本体ズレ止め粘着剤層１７及びウイングズレ止め粘着剤層１６を覆うように構成してもよい。前記ウイング状フラップＷ、Ｗは、個装状態では前記ウイング用剥離材１８とともに透液性表面シート３側に折り畳む、所謂腹折りとされている。
【００４６】
前記ズレ止め粘着剤層１６，１７を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体、スチレン−ブタジエン−スチレンブロック共重合体等が挙げられるが、これらのうち１種のみを使用しても、二種以上のポリマーブレンドであってもよい。この中でも熱安定性が良好であるという点で、スチレン−ブタジエン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００４７】
一方、前記剥離材１８、１９としては、ズレ止め粘着剤層１６，１７に対する当接面に対し、例えばシリコーン系樹脂、フッ素系樹脂、または四フッ化エチレン系樹脂などの離型処理液を塗工するかスプレー塗布し離型処理した紙、不織布またはプラスチックシート等を用いることができる。
【００４８】
前記ウイング用剥離材１８は、ナプキン前側の端縁がウイング状フラップＷより前側に延在する位置まで配置され、ナプキン後側の端縁がウイングズレ止め粘着剤層１６より若干後側のウイング状フラップＷの中間位置まで配置されている。また、ナプキン前側の両側部は、生理用ナプキン１の外形線に沿って裁断されている。
【００４９】
前記ウイング用剥離材１８及び本体用剥離材１９は、個装材に対し、幅方向中央部に設けられた固着部２０、２０…でホットメルト接着剤やヒートシール等の接合手段によって剥離不能に固着されている。前記固着部２０は、図示例では、本体ズレ止め粘着剤層１７、１７…に重なる位置に３条に亘って設けられるとともに、前記ウイングズレ止め粘着剤層１６とナプキン幅方向に重なる範囲に設けられている。
【００５０】
《ウイング状フラップＷ及びウイングズレ止め粘着剤層１６》
本生理用ナプキン１では、前記ウイング状フラップＷ及びウイングズレ止め粘着剤層１６の構成を規定することによって、ウイングズレ止め粘着剤層１６の面積を小さくしてもウイング状フラップＷの装着中のずれが防止でき、下着に安定して固定できるようにしている。
【００５１】
前記ウイング状フラップＷとしては、該ウイング状フラップＷの外方側端部Ｗａを通る幅方向線Ｓ４の前側と後側とで非対称形状をなすとともに、外形線の少なくとも一部が波状線や曲線又はこれらの組み合わせとした凹凸曲線で形成してある。このウイング状フラップＷの不透液性裏面シート２側の面には図２に示されるように、ウイングズレ止め粘着剤層１６が形成されている。
【００５２】
前記ウイング状フラップＷは、詳細には図４に示されるように、本体部分から外方に延びる前側外形線１０と、本体部分から外方に延びる後側外形線１１と、前記前側外形線１０と後側外形線１１とを繋ぐ先端側外形線１２とからなる外形状を成す。そして、これらの外形線のうち少なくとも一部が波状線や曲線又はこれらの組み合わせとしてある。好ましくは、前記前側外形線１０又は後側外形線１１の少なくとも一方が波状線や曲線又はこれらの組み合わせとし、図示例では前側外形線１０及び後側外形線１１の両方が凸曲線と凹曲線とが交互に形成された波状線としてある。
【００５３】
また、本生理用ナプキン１では、前記ウイング状フラップＷの形状を、生理用ナプキン１の幅方向線と前記前側外形線１０との成す角度αよりも前記生理用ナプキン１の幅方向線と前記後側外形線１１との成す角度βの方が大きく設定され、前記ウイング状フラップＷの重心１３がウイング状フラップＷの付け根と本体部分との接合線１５（折り線ＲＬ）の中央点１４よりもΔＳだけ前側に偏倚させるようにしている。前記前側外形線１０、後側外形線１１及び先端側外形線１２は、全部が波状線や曲線又はこれらの組み合わせである必要はなく、一部が直線であってもよい。ただし、後段で詳述するように、所定区間の外形線は所定の円弧状に形成する必要がある。前側外形線１０、後側外形線１１が波状線や曲線又はこれらの組み合わせの場合、角度α、βは、これらの波状又は曲線外形線の中心線が成す勾配を取ればよい。
【００５４】
前記生理用ナプキン１の幅方向線と前記前側外形線１０との成す角度αは、０〜２０°程度とし、前記生理用ナプキン１の幅方向線と前記後側外形線１１との成す角度βは３０〜４５°程度とするのが望ましく、この場合、前記生理用ナプキン１の幅方向線と前記前側外形線１０との成す角度αと、前記生理用ナプキン１の幅方向線と前記後側外形線１１との成す角度βとの角度差は１５°以上とするのが望ましい。この角度差が１５°以上であると、十分な偏心距離ΔＳを確保でき、ウイング状フラップＷを折り返す際に、手を前側に動かす動作を伴いながら手でウイング状フラップを折り返しても、きっちりと正規の状態で装着できるようになる。
【００５５】
前記ウイング状フラップＷは、図５に示されるように、装着時に下着のクロッチ部分を巻き込むようにして折り畳まれた状態時において、ウイング状フラップＷの先端部同士がある程度の幅で重なる重なり部分２２を有するように形成されている。このための前記ウイング状フラップＷの突出長Ｌは、４８mm以上、好ましくは５０〜５８mmとしてある。なお、ウイング状フラップＷの基端部のナプキン長手方向の長さは、下着のクロッチ内に納まるように８０mm以内とするのがよい。
【００５６】
一般的に、装着中におけるウイング状フラップの下着からの外れは、ウイング状フラップの先端側から発生しやすい。このため、本生理用ナプキン１では、ウイング状フラップＷの先端付近にウイングズレ止め粘着剤層１６を配置することによって、ウイングズレ止め粘着剤層１６の面積を小さくしても、ウイング状フラップＷが下着から外れる初動時のウイングズレ止め粘着剤層１６剥がれを防止している。
【００５７】
前記ウイングズレ止め粘着剤層１６を配置する範囲としては、図５に示されるように、前記重なり部分２２の前端部を通る幅方向線Ｓ１と後端部を通る幅方向線Ｓ２とで囲まれた範囲内とする。これによって、重なり部分２２の近傍が下着に固定され、重なり部分２２の重なり状態が維持されやすくなり、その結果ウイングズレ止め粘着剤層１６が下着３０から剥がれるのが防止できるとともに、ウイングズレ止め粘着剤層１６が必要最小限の範囲内に納まり粘着剤層の面積を可能な限り小さくすることができる。
【００５８】
前記ウイング状フラップＷの外形線は、少なくとも重なり部分２２において、単一の円弧又は複数の曲率半径からなる円弧を組み合わせた複合円弧（擬似円弧状）によって構成された略円弧状をなしている。すなわち、少なくとも重なり部分２２において直線部分を有さず、全体的に滑らかな円弧状に形成されている。このような外形線で構成された重なり部分２２の平面形状は、図５に示されるように、両側に突出した曲線が上下両端で交差する異形楕円形をなし、所謂、碁石の断面形状に近似している。この重なり部分２２はナプキン長手方向に長い形状で形成されることが好ましく、ナプキン幅方向に長くなるような形状となるものは好ましくない。
【００５９】
これによって、めくれの基点となる角部が形成されないため、下着からの剥がれが防止できる。また、ウイング状フラップＷを下着のクロッチ部分を巻き込むようにして折り畳んだ後、生理用ナプキン１を身体の前後方向の丸みに沿って湾曲させた状態で、ウイング状フラップＷが生理用ナプキン１の前後方向に対し外側に突出した湾曲状態となるため、この状態で先端部が円弧状に形成されていると、ウイング状フラップＷの先端部が下着側に密着し、下着からの浮きやめくれが生じなくなる。これに対し、従来のウイング状フラップＷのように角部を有する台形状に形成された場合、クロッチ部分を巻き込むようにして折り畳み、前後方向に湾曲させた状態でも、角部が下着から浮きやすく、めくれの基点となることが多かった。
【００６０】
前記重なり部分２２の最大幅Ｂは、重なり部分２２を設けた効果が明確に発揮されるように、１０ｍｍ以上とすることが好ましい。前記最大幅Ｂが１０ｍｍ未満では、先端部同士の重なり状態が十分ではなく、下着側に位置しているウイング状フラップＷの先端部が下着のヨレなどによって変形した場合、重なり状態が解除されてめくれが発生するおそれがある。なお、重なり部分２２の最大幅Ｂとは、装着状態で左右のウイング状フラップＷ、Ｗの外形線同士のナプキン幅方向の離間幅が最大となる部分の幅のことである。
【００６１】
また、前記重なり部分２２の最大幅Ｂは、１０〜２０ｍｍ、好ましくは１４〜１６ｍｍとするのがよい。一方、重なり部分２２の最大長さＤ（ナプキン長手方向長さ）は２５〜３０ｍｍ、好ましくは２７〜２８ｍｍとするのがよい。また、重なり部分２２の面積は、片方のウイング状フラップＷの面積の１０〜２５％、好ましくは１５〜１８％とするのがよい。なお、重なり部分２２の大きさは、ウイング状フラップＷを折り返す位置や体型の違いによって個人差があるので、上記規定の範囲内で任意に設定することができる。例えば、図５に示されるように、一方側のウイング状フラップＷの外形線が他方側のウイング状フラップＷの外方側端部Ｗａとウイングズレ止め粘着剤層１６の外方側端部１６ａとの間に位置するように形成してもよいし、図６に示されるように、一方側のウイング状フラップＷの外形線が他方側のウイングズレ止め粘着剤層１６の外方側端部１６ａに近接するように形成してもよい。
【００６２】
一方、前記ウイングズレ止め粘着剤層１６の面積は、片方のウイング状フラップＷの面積の５〜２０％、好ましくは５〜１７％、より好ましくは６〜９％と、通常のものに比べて小さく設定されている。なお、図示例のものは、７．２％である。ウイング状フラップＷの面積とは、ウイング状フラップＷの前側外形線１０が本体部分から外方に延びる基端部と、後側外形線１１が本体部分から外方に延びる基端部とを結んだ線より外方に延出する部分の面積である。
【００６３】
前記ウイングズレ止め粘着剤層１６のナプキン幅方向の配設位置としては、装着時に前記重なり部分２２において他方側のウイング状フラップＷに接着しないように、ウイング状フラップＷの外方側端部Ｗａからナプキン幅方向に所定の離間距離Ｃを設けて配置することが好ましい。具体的に前記離間距離Ｃとしては、前記重なり部分２２の最大幅Ｂを１０〜２０ｍｍとした関係上、２０ｍｍ以上、好ましくは２０〜３０ｍｍに設定するのがよい。
【００６４】
また、前記ウイングズレ止め粘着剤層１６のナプキン長手方向の配設位置としては、図５に示されるように、該ウイングズレ止め粘着剤層１６の中心部を通る幅方向線Ｓ３と、ウイング状フラップＷの外方側端部Ｗａを通る幅方向線Ｓ４とがほぼ一致する位置に形成することが好ましい。２つの幅方向線Ｓ３、Ｓ４がほぼ一致するとは、両者が完全に一致する場合の他、前後に８ｍｍ以内の範囲内でずれて設けられる場合を含むものである。
【００６５】
前記ウイングズレ止め粘着剤層１６の平面形状は任意であるが、図示例のように、ナプキン長手方向に長い長方形状に形成することが好ましい。このときの長さとしては前述の通り重なり部分２２の最大長さＤの範囲内とし、幅は５〜１８ｍｍ、好ましくは８〜１３ｍｍとするのがよい。
【００６６】
装着時に、ウイング状フラップＷの先端部がぴらぴらしてめくれるのをより確実に防止するため、図７に示されるように、ウイング状フラップＷの少なくとも外方側端部Ｗａ及びその近傍に、エンボス２３を施すことが好ましい。前記エンボス２３は、ウイング状フラップＷの外形線にほぼ沿うとともに、ウイング状フラップＷの周縁のほぼ全体に亘って、前記ウイング状フラップＷの外形線から内側に所定の領域内に設けることが好ましく、このときのエンボス２３が施された領域の面積はウイング状フラップＷの面積の５５％以上であることが好ましい。ウイング状フラップＷ先端部のエンボス２３の付与範囲は、ウイング状フラップＷの外方側端部Ｗａから６〜２５ｍｍ、好ましくは８〜１４ｍｍの位置に形成することが好ましい。かかる範囲でエンボス２３を形成することによって、図５に示されるように、ウイングズレ止め粘着剤層１６のウイング状フラップＷ先端からの離間距離Ｃの中央位置まで重なり部分２２を形成した場合には、重なり部分２２のほぼ全域（１００％）がエンボス付加領域とされ、図６に示されるように、前記離間距離Ｃのほぼ全長に重なり部分２２を形成した場合には、重なり部分２２のおよそ８５％の領域がエンボス付加領域とされるようになる。
【００６７】
前記エンボス２３のエンボスパターンとしては、小さなエンボス部分が間隔をあけて多数配置された離散的パターンとするのが好ましく、この離散状に施された１つのエンボス部分の平面形状は、円形、楕円形、多角形などとすることができる。また、この小さなエンボス部分の配置パターンとしては、千鳥状、格子状又はランダムに配置することが可能であり、図７に示されるように、複数のエンボス部分を組み合わせて花柄などの一つの図柄２４にしたものを組み合わせて配置することも可能である。離散状に配置した１つのエンボス部分の大きさは、０．２〜１．８ｍｍ２、好ましくは０．５〜０．８ｍｍ２とするのがよい。なお、図示例では、ウイング状フラップＷの中央部においても剛性を補強することなどを目的として、楕円形を複数組み合わせた花柄のエンボス２５、２５…を複数施してある。
【００６８】
前記ウイング状フラップＷは、生理用ナプキン１の個装の際、図８に示されるように、一方のウイング状フラップＷを該ウイング状フラップＷの基端部に設定された折り畳み線ＲＬでウイング用剥離材１８と共に透液性表面シート３側に折り畳んだ後、他方のウイング状フラップＷを該ウイング状フラップＷの基端部に設定された折り畳み線ＲＬでウイング用剥離材１８と共に透液性表面シート３側に折り畳むようにする。
【００６９】
この場合、前記ウイング状フラップＷ、Ｗを透液性表面シート３側に単に折り畳んだだけでは、形状が安定せず前記ウイング状フラップＷ、Ｗが浮き上がったり、バタツキが生じ、ライン搬送時に位置ズレや絡みなどの原因となることがある。そこで、操業を安定化するために、前記ウイング状フラップＷが透液性表面シート３側に前記ウイング用剥離材１８と共に折り畳まれた状態を保持するようにする。具体的には、図８及び図９に示されるように、前記透液性表面シート３側に折り畳まれた前記ウイング状フラップＷ、Ｗの先端部同士が重なるようにする。また、前記重なり部分でウイング状フラップＷの先端同士を仮止め接着してもよい（図示せず）。
【符号の説明】
【００７０】
１…生理用ナプキン、２…不透液性裏面シート、３…透液性表面シート、４…吸収体、５…クレープ紙、７…サイド不織布、１６…ウイングズレ止め粘着剤層、１７…本体ズレ止め粘着剤層、２２…重なり部分、２３…エンボス、Ｗ…ウイング状フラップ
【図１】
2014124285.tif 000003
【図２】
2014124285.tif 000004
【図３】
2014124285.tif 000005
【図４】
2014124285.tif 000006
【図５】
2014124285.tif 000007
【図６】
2014124285.tif 000008
【図７】
2014124285.tif 000009
【図８】
2014124285.tif 000010
【図９】
2014124285.tif 000011
【図１０】
2014124285.tif 000012
【図１１】
2014124285.tif 000013
【図１２】
2014124285.tif 000014